(57)【要約】【課題】汚れが落とされやすい膨張式救命具２の提供。【解決手段】救命具２は、カバー４及び本体６を備えている。カバー４は、表シート８、裏シート１０、下シート１２、第一面ファスナー１４及び３個の第二面ファスナー１６を有している。本体６は、袋体３４、一対のベルト３６、バックル３８、ボンベ４０及び作動部４２を有している。袋体３４には、３つの開口５０が形成されている。この開口５０に第二面ファスナー１６が通されて、カバー４が本体６に取り付けられる。袋体３４が折り畳まれることにより、この袋体３４がカバー４に包まれる。開口５０から第二面ファスナー１６が抜かれることにより、カバー４が本体６から取り外されうる。カバー４は、水洗いされうる。釣り人が落水した時には、作動部４２を介してボンベ４０から袋体３４に圧縮気体が流入する。この流入により、浮力が得られる。【選択図】図２
2008179268.tif 000002
【特許請求の範囲】
【請求項１】
人体の胴に巻かれるベルトと、このベルトに連結された袋体と、圧縮気体が充填されたボンベと、落水時にボンベの中の圧縮気体を袋体に送り込む作動部とを有する本体
及び
折り畳まれた状態の袋体が包まれるカバー
を備えており、
このカバーが本体に対して着脱自在に構成されている膨張式救命具。
【発明の詳細な説明】
【技術分野】
【０００１】
本発明は、釣り等に用いられる膨張式救命具に関する。詳細には、本発明は、人体の胴に装着される救命具に関する。
【背景技術】
【０００２】
釣りに用いられる救命具は、浮力体を備えている。落水時には、この浮力体の浮力により、人体が水に沈むことが防止される。浮力体には、発泡体からなるものと、袋体からなるものとがある。
【０００３】
発泡体を備えた救命具は嵩が高いので、釣り人の動作が制約される。しかも、発泡体の断熱効果により、夏場にこれを着用する釣り人は、蒸し暑さによる不快感を感じる。発泡体を備えた救命具を嫌う釣り人が多い。
【０００４】
袋体を備えた救命具は、膨張式救命具と称されている。落水時にこの袋体の内部にボンベから気体が送り込まれることで、袋体は膨張する。この気体により、浮力が得られる。袋体は、常時は収縮しており、嵩が低い。この膨張式救命具では、釣り人の動作が制約されにくい。しかも、膨張式救命具が夏場に使用されても、不快感は少ない。釣り人には、膨張式救命具が好まれている。膨張式救命具の一例が、特開２００６−１９３１０４公報に開示されている。
【０００５】
膨張式救命具には、首にかけられるタイプのものと、胴に巻かれるタイプのものとが存在する。胴に巻かれるタイプの救命具では、釣り人の動作がより制約されにくい。胴に巻かれるタイプの救命具は、釣り人に不快感をほとんど与えない。
【０００６】
胴に巻かれる膨張式救命具は、折り畳まれた袋体を包むカバーを備えている。このカバーは、袋体を保護する。カバーにより、袋体の摩耗が防止される。釣り針に起因して袋体にピンホールが開いてしまうことも、カバーによって防止される。胴に巻かれうる膨張式救命具が、株式会社シマノの「２００５  フィッシングタックルカタログ」の第１９４頁に開示されている。
【特許文献１】特開２００６−１９３１０４公報
【非特許文献１】株式会社シマノの「２００５  フィッシングタックルカタログ」、                    第１９４頁
【発明の開示】
【発明が解決しようとする課題】
【０００７】
胴に巻かれる膨張式救命具では、カバーが露出しているので、釣りのときにこのカバーが岩等に触れて汚れることがある。カバーに、魚の体液や餌が付着することもある。カバーに海水が染みこむこともある。さらに、釣り人の汗がカバーに染みこむこともある。救命具は、汚れやすい。
【０００８】
この救命具は、水洗いされ得ない。なぜなら、この救命具はボンベや、ボンベから袋体へ気体を送り込む作動部を備えており、これらが水洗いによって損傷してしまうからである。救命具が汚れたときは、汚れが拭き取られる。しかし、拭き取りによっても救命具は十分にはきれいにならない。
【０００９】
本発明の目的は、汚れが落とされやすい膨張式救命具の提供にある。
【課題を解決するための手段】
【００１０】
本発明に係る膨張式救命具は、本体とカバーとを備える。本体は、人体の胴に巻かれるベルトと、このベルトに連結された袋体と、圧縮気体が充填されたボンベと、落水時にボンベの中の圧縮気体を袋体に送り込む作動部とを有する。カバーには、折り畳まれた状態の袋体が包まれる。このカバーは、本体に対して着脱自在である。
【発明の効果】
【００１１】
この膨張式救命具では、カバーが本体から取り外され、水洗いされうる。水洗いにより、カバーの汚れが落ちる。カバーが水洗いされても、本体は損傷を受けない。
【発明を実施するための最良の形態】
【００１２】
以下、適宜図面が参照されつつ、好ましい実施形態に基づいて本発明が詳細に説明される。
【００１３】
図１は、本発明の一実施形態に係る膨張式救命具２が示された正面図である。図２は、図１の救命具２が示された分解図である。図３は、図１のIII−III線に沿った断面図である。図３において、右側は表側であり、左側は裏側である。この救命具２は、カバー４と本体６とを備えている。
【００１４】
図１に示されるように、カバー４は、全体として横長である。図２及び図３に示されるように、カバー４は、表シート８、裏シート１０、下シート１２、第一面ファスナー１４及び３個の第二面ファスナー１６を有している。
【００１５】
表シート８、裏シート１０及び下シート１２は、織布からなる。これらのシート２、１０、１２が、フィルムからなってもよい。図３に示されるように、表シート８の上端と裏シート１０の上端とは、糸１８によって縫製されている。裏シート１０の下端と下シート１２の下端とも、糸２０によって縫製されている。裏シート１０と下シート１２とにより、ポケット２２が形成されている。
【００１６】
第一面ファスナー１４は、フック面２４とループ面２６とからなる。フック面２４は表シート８の下端かつ裏側に縫いつけられている。ループ面２６は、下シート１２の上端かつ表側に縫いつけられている。第一面ファスナー１４により、表シート８の下端が下シート１２に接合されている。表シート８にループ面２６が縫いつけられ、裏シート１０にフック面２４が縫いつけられてもよい。典型的な第一面ファスナー１４は、ベルクロ社のマジックテープ（登録商標）である。他の手段により、前シートが下シート１２に接合されてもよい。
【００１７】
第二面ファスナー１６は、フック面２８とループ面３０とからなる。フック面２８及びループ面３０は、糸１８によって表シート８及び裏シート１０に縫いつけられている。図３に示されるように、フック面２８はループ面３０に接合されている。この接合により、リング３２が形成されている。。典型的な第二面ファスナー１６は、ベルクロ社のマジックテープ（登録商標）である。
【００１８】
図２に示されるように、本体６は、袋体３４、一対のベルト３６、バックル３８、ボンベ４０及び作動部４２を有している。図３に示されるように、袋体３４は表フィルム４４及び裏フィルム４６からなる。表フィルム４４の形状は、裏フィルム４６のそれとほぼ同一である。袋体３４はさらに、接合部４８を備えている。接合部４８は、袋体３４の周縁に位置している。図２における点線は、接合部４８と他の部分との境界を表している。この接合部４８において、表フィルム４４と裏フィルム４６とが接合されている。この接合により、表フィルム４４及び裏フィルム４６が袋状を呈する。この接合は、接着剤によって達成されてもよく、熱融着によって達成されてもよい。表フィルム４４及び裏フィルム４６は、気密性材料からなる。典型的には、表フィルム４４及び裏フィルム４６は、合成樹脂からなる。接合部４８には、３つの開口５０が形成されている。図２における二点差線は、袋体３４の折り畳み線である。
【００１９】
ベルト３６は、接合部４８に縫いつけられている。この縫い付けにより、袋体３４がベルト３６に連結されている。バックル３８は、ソケット５２とプラグ５４とからなる。ソケット５２は、左側のベルト３６に取り付けられている。プラグ５４は、右側のベルト３６に取り付けられている。プラグ５４は、ソケット５２に挿入かつ固定されうる。
【００２０】
ボンベ４０は、作動部４２に取り付けられている。この作動部４２は、アダプター５６及びセンサ５８を備えている。アダプター５６は、弁（図示されず）を内蔵している。常時は、弁はクローズされている。このクローズにより、ボンベ４０の内部は外部と遮蔽されている。ボンベ４０には、圧縮された気体が封入されている。典型的な気体は、炭酸ガスである。
【００２１】
センサ５８は、アダプター５６に取り付けられている。このセンサ５８は、水を検知する。この検知により、弁が開放される。この開放により、ボンベ４０と袋体３４とが連通する。開放により、ボンベ４０の圧縮気体がアダプター５６を通じて袋体３４へと流入する。
【００２２】
袋体３４の開口５０には、図３に示されるように、第二面ファスナー１６によって形成されたリング３２が通される。これにより、カバー４に本体６が取り付けられる。袋体３４は、折り畳み線（図２参照）に沿って折り畳まれうる。第一面ファスナー１４によって下シート１２に表シート８が接合されることで、袋体３４、ボンベ４０、アダプター５６及びセンサ５８が、カバー４に包まれる。袋体３４の一部は、ポケット２２に収容される。図１に示されるように、ベルト３６の一部はカバー４から露出する。バックル３８も、カバー４から露出する。
【００２３】
図４は、図１の救命具２が使用される様子が示された説明図である。この図４には、釣り人の胴６０も示されている。図４（ａ）には胴６０の背側が表されており、図４（ｂ）には胴６０の腹側が表されている。バックル３８は、腹側に位置している。ソケット５２にプラグ５４が挿入されることにより、ベルト３６が胴に巻かれている。
【００２４】
釣り人の胸には、救命具２は位置していない。この救命具２は、釣り人の動作の妨げにならない。さらに、この救命具２は、釣り人に蒸し暑さを感じさせない。釣り場において救命具２が岩等にこすられても、カバー４によって袋体３４が包まれているので、袋体３４が摩耗しない。さらに、釣り針が救命具２に引っかかっても、袋体３４にピンホールが生じない。
【００２５】
この救命具２を着用した釣り人が落水すると、センサ５８が水を検知する。センサ５８は弁を開放し、ボンベ４０から排出された気体が袋体３４へと流入する。袋体３４は、徐々に膨張する。膨張に伴って、折り畳まれていた袋体３４が伸展する。膨張により第一面ファスナー１４がはずれ、袋体３４はカバー４から飛び出す。この袋体３４により、浮力が生じる。袋体３４はベルト３６及びバックル３８によって釣り人の胴６０に巻かれているので、釣り人の体は水に沈まない。
【００２６】
釣り人が落水することは、まれである。従ってこの救命具２は、繰り返し使用される。この使用により、カバー４には、土砂、魚の体液、餌、海水、釣り人の汗等が付着する。カバー４は、汚れる。カバー４が汚れた場合、第二面ファスナー１６のフック面２８がループ面３０からはがされ、カバー４が本体６から取り外される。そして、このカバー４が水洗いされる。カバー４が水洗いされても、センサ５８には水がかからないので、弁が誤作動反応することはない。このカバー４が乾燥した後、このカバー４によって再度本体６が包まれる。
【００２７】
この救命具２では、カバー４が本体４に対して着脱自在である。この着脱は、第二面ファスナー１６によって達成されている。第二面ファスナー１６に代えて、他の手段によって、着脱が達成されてもよい。他の手段としては、ジップファスナー、バックル、カラビナ、ボタン等が例示される。
【産業上の利用可能性】
【００２８】
本発明に係る救命具は、釣りのみならず、水辺で行われる種々の活動において有用である。
【図面の簡単な説明】
【００２９】
【図１】図１は、本発明の一実施形態に係る膨張式救命具が示された正面図である。
【図２】図２は、図１の救命具が示された分解図である。
【図３】図３は、図１のIII−III線に沿った断面図である。
【図４】図４は、図１の救命具が使用される様子が示された説明図である。
【符号の説明】
【００３０】
２・・・膨張式救命具
４・・・カバー
６・・・本体
８・・・表シート
１０・・・裏シート
１２・・・下シート
１４・・・第一面ファスナー
１６・・・第二面ファスナー
３４・・・袋体
３６・・・ベルト
３８・・・バックル
４０・・・ボンベ
４２・・・作動部
４４・・・表フィルム
４６・・・裏フィルム
４８・・・接合部
５０・・・開口
５６・・・アダプター
５８・・・センサ
【図１】
2008179268.tif 000003
【図２】
2008179268.tif 000004
【図３】
2008179268.tif 000005
【図４】
2008179268.tif 000006